【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
相対する入口末端および出口末端を有しさらに少なくとも３つのらせんに巻かれた連続するエレメントを含む第一濾過容器からなり、該少なくとも３つの連続するエレメントのうちの２つは該第一濾過容器の該入口末端に近い先頭エレメント及び該第一濾過容器の該出口末端に近い後端エレメントであり、該少なくとも３つの連続するエレメントは標準比透過流束の最大値をもつエレメント、標準比透過流束の最小値をもつエレメントおよび標準比透過流束の中間値をもつエレメントを含み、標準比透過流束の該最大値／標準比透過流束の該最小値の比が２より大きく、そして標準比透過流束の該中間値／標準比透過流束の該最小値の比が１．２５と１．７５の間にあることを特徴とする水を精製する装置。
【請求項２】
標準比透過流束の最大値をもつ該エレメントが第一エレメントタイプに属し、標準比透過流束の最小値をもつエレメントが第二エレメントタイプに属し、そして該第一エレメントタイプの標準比透過流束／該第二エレメントタイプの標準比透過流束の比が２より大きい請求項１の装置。
【請求項３】
該後端エレメントの標準比透過流束／該先頭エレメントの標準比透過流束の比が２より大きい請求項１の装置。
【請求項４】
該後端エレメントの標準比透過流束が１．５Ｌ／ｍ２／時／バールより大きい請求項１の装置。
【請求項５】
該先頭エレメントが、１．０Ｌ／ｍ２／時／バールより小さい標準比透過流束を有する請求項１の装置。
【請求項６】
該後端エレメントが、該先頭エレメントの供給液スペーサー断面積より少なくとも１５％小さい供給液スペーサー断面積を有する請求項１の装置。
【請求項７】
該後端エレメントが、該先頭エレメントの供給液スペーサー断面積より少なくとも３０％小さい供給液スペーサー断面積を有する請求項６の装置。
【請求項８】
該後端エレメントの供給液スペーサーが、０．４バール／ｍより大きい標準圧力勾配を有する請求項１の装置。
【請求項９】
該後端エレメントの供給液スペーサーが、該先頭エレメントの供給液スペーサーシートの軸方向の標準圧力勾配より５０％大きい軸方向の標準圧力勾配を有する請求項３の装置。
【請求項１０】
該後端エレメントの標準比流束に対する標準溶質透過率の比／該先頭エレメントの標準比流束に対する標準溶質透過率の比の比が２より小さい請求項３の装置。
【請求項１１】
該後端エレメントが、２５℃、供給液中３２０００ｐｐｍのＮａＣｌ、８％の回収率および２７Ｌ／ｍ２／時の透過流束を使用してテストしたとき、５００ｐｐｍより低い透過液塩濃度を生ずる請求項１の装置。
【請求項１２】
該第一濾過容器が、少なくとも３つの平行した濾過容器の１つである請求項３の装置。
【請求項１３】
該第一濾過容器内に透過液流に対するバリヤーをもち、該バリヤーが第一の合体透過液流および第二の合体透過液流をもたらし、該第一の合体透過液流は該先頭エレメントからの透過液のすべてを含みそして該第二の合体透過液流は該後端エレメントからの透過液のすべてを含み、該バリヤーはさらに該第一と第二の合体液流間の透過液の実質的な混合を防ぐ請求項１の装置。
【請求項１４】
該バリヤーが非透過性であり、該第一合体透過液流が標準比流束の最大値をもつ該エレメントからの透過液のすべてを含み、標準比流速の該最大値／標準比流束の該最小値の比が２より大きく、そして該第一合体透過液流が第二濾過容器への供給流となる請求項１３の装置。
【請求項１５】
（ａ）少なくとも３つのらせんに巻かれた連続するエレメントを含む第一圧力容器に供給溶液を流す工程、ここで該少なくとも３つの連続するエレメントが該容器の供給入口末端に近い先頭エレメントおよび下流エレメントをもち、該少なくとも３つの連続するエレメントは標準比透過流束の最大値をもつエレメントおよび標準比透過流束の最小値をもつエレメントをもち、標準比透過流速の該最大値／標準比透過流束の該最小値の比が１．５より大きい、
（ｂ）該供給溶液に圧力を付与して透過液を該容器内のそれぞれのエレメントを通過させる工程、および
（ｃ）該容器から透過液と濃縮溶液を取り出す工程からなり、該供給溶液が該容器の入口において２０より大きい浸透圧をもつことを特徴とする水を精製する方法。
【請求項１６】
標準比透過流束の最大値をもつ該エレメントが第一エレメントタイプに属し、標準比透過流束の最小値をもつエレメントが第二エレメントタイプに属し、そして該第一エレメントタイプの標準比透過流束／該第二エレメントタイプの標準比透過流束の比が２より大きい請求項１５の方法。
【請求項１７】
該下流エレメントの標準比流束／該先頭エレメントの標準比流束の比が１．５より大きい請求項１５の方法。
【請求項１８】
該下流エレメントが、１．５Ｌ／ｍ２／時／バールより大きい標準比透過流束を有する請求項１７の方法。
【請求項１９】
該先頭エレメントの平均正味駆動圧力／該下流エレメントの平均正味駆動圧力の比が２より大きい請求項１８の方法。
【請求項２０】
該容器の入口における付与圧力と浸透圧の差／該容器の出口における付与圧力と浸透圧の差の比が２より大きい請求項１７の方法。
【請求項２１】
該下流エレメントが該容器の出口末端に近い請求項２０の方法。
【請求項２２】
該先頭エレメントを該容器の平均流束の２倍より小さい平均流束で操作する請求項２０の方法。
【請求項２３】
該容器が少なくとも５つのらせんに巻かれたエレメントを直列で含み、生成される濃縮溶液の体積が、生成される透過溶液の体積の２倍以下であり、該容器の平均透過流束が、先頭エレメントの平均透過流束の少なくとも７０％であり、そして先頭エレメントが１０Ｌ／ｍ２／時と２７Ｌ／ｍ２／時との間の平均透過流束を有する請求項１８の方法。
【請求項２４】
該容器の平均流束が該先頭エレメントの平均流速の少なくとも８０％である請求項２３の方法。
【請求項２５】
該先頭エレメントが、３４Ｌ／ｍ２／時より小さい平均透過流束で操作され、そして該容器が２４Ｌ／ｍ２／時より大きい平均透過流束で操作される請求項２０の方法。
【請求項２６】
該濃縮溶液が、入口での浸透圧の２倍より高い浸透圧を有する請求項２５の方法。
【請求項２７】
該下流エレメントが、該先頭エレメントの供給液スペーサー断面積より少なくとも３０％小さい供給液スペーサー断面積を有する請求項１８の方法。
【請求項２８】
該下流エレメントが２７Ｌ／ｍ２／時の透過流束、８％の回収率および水中３２０００ｐｐｍのＮａＣｌからなる２５℃の供給溶液を使用して独立してテストされるとき、下流エレメントが２０％より大きいＮａＣｌ通過を有し、そして２７Ｌ／ｍ２／時の透過流束、８％の回収率および水中３２０００ｐｐｍのＮａＣｌおよび２０００ｐｐｍのＭｇＳＯ４からなる２５℃の供給溶液を使用して独立してテストされるとき、該下流エレメントが１％より小さい硫酸塩通過を有する請求項１８の方法。
【請求項２９】
請求項１８の諸工程の前に、該容器を通して供給溶液を流し、圧力を付与し、そして透過液と濃縮溶液を取り出す操作を行い、この操作の間の該容器は１．２５Ｌ／ｍ２／時／バールより小さい標準比流束からなる初期セットの逆浸透エレメントをもち、次いで１．２５Ｌ／ｍ２／時／バールより小さい標準比流束をもつ該エレメントの少なくとも１つを該容器から取り出し、ついで１．５Ｌ／ｍ２／時／バールより大きい標準比流束をもつ少なくとも１つの次のエレメントを該容器に加える請求項１８の方法。
【請求項３０】
該第一濾過容器内に透過液流に対する本質的に非浸透性のバリヤーをもち、該バリヤーが第一の合体透過液流および第二の合体透過液流をもたらし、該第一の合体透過液流は該先頭エレメントからの透過液のすべてを含みそして該第二の合体透過液流は該後端エレメントからの透過液のすべてを含み、該第一合体透過液流が第二濾過容器への供給流となり、そして標準比流束の最大値／標準比流束の最小値の比が１．５より大きい請求項１５の方法。
【請求項３１】
（ａ）少なくとも３つのらせんに巻かれた逆浸透エレメントをもつ圧力容器を通して供給溶液を流す工程、ここで該少なくとも３つのらせんに巻かれた逆浸透エレメントは上流エレメント、下流エレメントおよび該上流エレメントと該下流エレメントの間に位置する中間エレメントからなり、該下流エレメントの標準比流束／該上流エレメントの標準比流束の比が２より大きく、そして該中間エレメントの標準比流束／該上流エレメントの標準比流束の比が１．２５と１．７５の間にある、（ｂ）該供給溶液に圧力を付与して該容器内のそれぞれのエレメントに透過液を通す工程及び（ｃ）透過液と濃縮液を該容器から取り出す工程からなり、該容器の入口での付与圧力と浸透圧の差／該容器の出口での付与圧力と浸透圧の差の比が２より大きい請求項１５の方法。
【請求項３２】
該下流エレメントが１．５Ｌ／ｍ２／時／バールより大きい標準比流束を有する請求項３１の方法。
【請求項３３】
該供給溶液が該容器の入口において２０より大きい浸透圧をもつ請求項３１の方法。